(57)【要約】      （修正有）【課題】水圧転写技術を使用してネイルアートを行う際に、爪に隣接した手指の皮膚にもインクが付着することを防ぐ保護テープを提供する。【解決手段】フィルムの片面に粘着剤が塗布され、当該粘着面に剥離紙が貼付されている保護テープのフィルムの所定部分が略爪形のハーフカットが施されている。【選択図】図７
0003174907.tif 000002
【実用新案登録請求の範囲】
【請求項１】
フィルムの片面に粘着剤が塗布され、当該粘着面に剥離紙が貼付されている保護テープであって、フィルムの所定部分に概略爪形のハーフカットが施されていることを特徴とする水圧転写用保護テープ。
【請求項２】
概略爪形のハーフカット部分が中心やや上側に位置した矩形状のフィルムであって、当該フィルムの上側２隅が、矩形状のフィルムの辺を含む概略長方形状であって、当該長方形状の下辺は爪形状の上部付近にあり、内側横の辺は爪形状付近までであるようにハーフカットされていることを特徴とする請求項１記載の水圧転写用保護テープ。
【請求項３】
概略爪形状にハーフカットされている部分を真ん中部分に含むように剥離紙に概略３等分した切り込みを入れたことを特徴とする請求項２記載の水圧転写用保護テープ。
【請求項４】
概略爪形状にハーフカットされている部分の上側の剥離紙部分に矩形状の、フィルムの辺を含む概略長方形状の切り込みを入れ、概略爪形状にハーフカットされている部分を真ん中部分に含むように剥離紙を概略３等分した切り込みを入れ、かつ該切り込みは前記長方形状の下辺までであることを特徴とする請求項２記載の水圧転写用保護テープ。
【考案の詳細な説明】
【技術分野】
【０００１】
本考案は、水圧転写技術を用いて爪にネイルアートを描画する際に使用する手指の皮膚を保護するための保護テープに関する。
【先行技術文献】
【特許文献】
【０００２】
【特許文献１】特開２０１１−２９１２８
【考案の概要】
【考案が解決しようとする課題】
【０００３】
極めて細かい模様を爪に描画する洗練されたネイルアートは、ネイルサロン等で行うことが一般的である。しかし、ネイルサロンにおいても、高度な技術を保有するネイルアーティストが行い、時間を要するためコスト低減は難しい。そこで、水圧転写技術を利用して、爪に、あらかじめ水圧転写シートに印刷した図柄を転写することで、短時間で安価にネイルアートを行う方法がある。
【０００４】
水圧転写とは、あらかじめポリビニール（ＰＶＣ）シート上に図柄を印刷した水圧転写シートを水に浸すことでＰＶＣシートを溶解させて印刷した図柄インクを水中に残し、被転写体を該図柄インクに密着させることにより、表面張力と図柄インクの粘性により、図柄を被転写体に転写する技術である。
【０００５】
水圧転写技術を用いてネイルアートを行うためには、爪を水に浸して、水面付近に浮かんでいる図柄インクを爪に接触させる必要があり、そのため、爪に隣接した手指の皮膚にもインクが付着していた。そのため、図柄転写後に手指に付着したインクを落とす必要があり手間がかかっていた。
【課題を解決するための手段】
【０００６】
水圧転写技術を用いてネイルアートを施術する場合に、以下の方法で上記の課題を解決する。
フィルムの片面に粘着剤が塗布され、当該粘着面に剥離紙が貼付されている保護テープのフィルムの所定部分に概略爪形のハーフカットを施した手指の皮膚を保護する水圧転写用保護テープを提供する。
【０００７】
上記概略爪形のハーフカット部分が中心やや上側に位置した矩形状のフィルムであって、当該フィルムの上側２隅が、矩形状のフィルムの辺を含む概略長方形状であって、当該長方形状の下辺は爪形状の上部付近にあり、内側横の辺は爪形状付近までであるようにハーフカットされている水圧転写用保護テープを提供する。
【０００８】
上記概略爪形状にハーフカットされている部分を真ん中部分に含むように剥離紙を概略３等分した切り込みを入れた水圧転写用保護テープを提供する。
【０００９】
さらに、上記概略爪形状にハーフカットされている部分の上側の剥離紙部分に矩形状のフィルムの辺を含む概略長方形状の切り込みを入れ、概略爪形状にハーフカットされている部分を真ん中部分に含むように剥離紙を概略３等分した切り込みを入れ、かつ該切り込みは前記長方形状の下辺までである水圧転写用保護テープを提供する。
【考案の効果】
【００１０】
水圧転写用保護テープにより水圧転写による図柄転写時に手指の爪以外の部分を保護することで、図柄インクが手指の皮膚部分に付着することを防止できる。さらに、図柄転写時に手指の爪以外の部分を保護しながら水圧転写用保護テープを手指に貼り付ける手間を軽減できるという効果がある。
【図面の簡単な説明】
【００１１】
【図１】水圧転写技術を用いたネイルアート施術工程を表す図である。
【図２】第１の実施例による水圧転写用保護テープを表す図である。
【図３】第２の実施例による水圧転写用保護テープを表す図である。
【図４】第２の実施例による水圧転写用保護テープの各部の名称を表す図である。
【図５】第３の実施例による水圧転写用保護テープを表す図である。
【図６】第３の実施例による水圧転写用保護テープの各部の名称を表す図である。
【図７】第４の実施例による水圧転写用保護テープを表す図である。
【図８】第４の実施例による水圧転写用保護テープの各部の名称を表す図である。
【考案を実施するための形態】
【００１２】
本考案による水圧転写用保護テープの実施例を説明する前に、水圧転写技術を用いたネイルアート施術方法について説明する。
【００１３】
水圧転写技術とは、インクを印刷できるようにした受像層を有する水溶性のＰＶＣシートにあらかじめ図柄を印刷しておき、転写時に水圧転写シートを水に浸してＰＶＣシートを水に溶解させて図柄インクを水中に残し、表面張力及びインクの粘性により爪等の被転写体に図柄インクを付着させることにより図柄を被転写体に転写する技術である。
【００１４】
図１に、本考案による水圧転写技術を用いたネイルアート描画方法の工程を示す。最初に、印刷済みの水圧転写シートの台紙をはがした後、温水に浸す（Ｓ０１）。温水は２５°Ｃから３０°Ｃの範囲とすることで水圧転写シートの溶解を促すことができる。
【００１５】
台紙をはがす前に、水圧転写シートのフィルム側４辺にマスキングテープを貼ることで転写の安定化を図ることができる。また、水圧転写シートを温水に浸す際には、フィルムと水面間に気泡が入らない様にする必要がある。気泡が入ると被転写素材に転写した描画パターンがはがれる等の問題が生じるからである。
【００１６】
次に、水圧転写シートに印刷されたインクの溶解を促進するため、Ｎ−ブタノール、キシレン、酢酸ブチルを含んだ液体（ウォーターコンビネーション液）を霧状にして水圧転写シートに噴霧する（Ｓ０２）。水圧転写シートが溶解したことを確認（Ｓ０３）後、爪以外の部分を保護（Ｓ０４）し、爪に絵柄が転写されるように温水に爪を浸す（Ｓ０５）。
【００１７】
爪に転写する（爪を温水に浸す）タイミングは、水圧転写シートが溶解したことを確認後、５〜１０秒以内に行わなければならない。浸すタイミングが遅れると、インクが水に拡散してしまい、描画パターンが崩れるからである。
【００１８】
また、爪を着水させる際に、爪の表面と水面の角度はおおよそ３５°の角度を保持する必要がある。過度に垂直、水平に近い角度で着水させると、描画パターンが崩れる、描画パターンが爪からはがれる等の問題を生じるからである。
【００１９】
引き上げた後、１分程度の定着時間をおき保護材を塗布（Ｓ０６）し乾燥させ、爪以外に付着したインクを除去（Ｓ０７）する。前記保護材にはアクリル酸アルキルコポリマー、ベンジルアルコール、ラベンダー油、ＰＥＧ−２０ソルビタンココエート、ＰＧ、シメチコン、水を含有するＰＥアロマトップコートを使用する。
【００２０】
上記工程Ｓ０４において、爪以外の部分を保護する工程があるが、従来は、ビニールあるいはポリエチレン製等の薄手の手袋の手指の先を切り、爪を露出させることで、保護していた。しかし、転写時のインクが爪付近の手指の皮膚に付着することを十分に防ぐことができなかったため、Ｓ０７工程で付着したインクの除去を行っていた。
【００２１】
特許文献１では、爪用型抜きシールにより爪及び爪の周辺に保護フィルムを貼り付けることで、爪に独創的な図柄を描くことを可能にしている。しかし、該シールは使用目的も形状も異なり、水圧転写の際に手指の皮膚にインクを付着することを防止することはできない。そもそも、水圧転写技術を用いてネイルアートを施術するという施術方法は存在していなかった。
【００２２】
図２に第１の実施例によるネイルアート用保護テープを示す。０１は皮膚を保護するフィルム、０２は粘着層、０３は剥離紙、０４はフィルム０１上の爪形状のハーフカットである。本保護テープを使用するには、最初にフィルム上のハーフカット０４をフィルムの他の部分から切り離して剥離紙０３からはがす。次に、剥離紙０３をはがして、ハーフカット０４部分で切り取られた爪形状の穴を爪に合わせてフィルムを指に巻き付ける。これにより、水圧転写時に水中に爪を含む指を水中に浸しても、フィルムによりインクが指の皮膚に付着することを防止することができる。
【００２３】
フィルム０１の例として、４５μｍポリエチレンを基材とした０．０７ｍｍ厚のフィルムを適用することができるが、これに限られない。また、大きさの例として、保護テープは縦５０ｍｍ×横４５ｍｍの長方形、爪形状は、縦幅９ｍｍ×横幅８ｍｍの大きさとすることができるが、これに限られない。特に、爪形状は爪の大きさに合わせた大きさを用意する必要があるが、フィルムに伸縮性があれば、爪形状の大きさに応じた保護テープの種類を少なくすることができる。
【００２４】
図３に第２の実施例によるネイルアート用保護テープを示す。０１から０４は図２と同様である。０５はフィルム右上端、左上端を除去するためのハーフカット部を示す。第１の実施例による保護テープを使用する際、剥離紙をはがして指に貼ると指先付近でフィルムに重複が生じて皺が寄り、水が指先に進入する場合がある。そのため、フィルムを指に貼った時の重複を除去する目的で、０５のハーフカットを入れ、使用する際に、ハーフカット０５によりフィルムの左右上端部分を除去する。
【００２５】
図４に、図３のハーフカット０４、０５により切り取られる部分、及び剥離紙を除去したネイルアート用保護テープのフィルム部分を示す。０６はフィルムを指に貼付した時に指先から指の腹（手のひら側）にかけて貼り付く部分であり、同様に０７は指の背部分（手の甲側）、０８は指の右側面から指の腹部分、０９は指の左側面から指の腹部分に貼り付く部分である。フィルムの右上端、左上端部分が除去されているため、フィルムを指に貼付したときにフィルムに重複部分がなく、皺が生じず水を侵入しにくくすることができる。
【００２６】
図５に第３の実施例によるネイルアート用保護テープを示す。０１から０５は図３と同様である。１０は剥離紙の切り込み、１１は切り込みにより分割された剥離紙の左側部分、１２は切り込みにより分割された剥離紙の中央部分、１３は切り込みにより分割された剥離紙の右側部分である。
【００２７】
図６に第３の実施例によるネイルアート用保護テープのフィルムと剥離紙の各部の名称の対応を示す。「フィルムの指の左側面〜腹部分０９」は「剥離紙の左側部分１１」と対応し、「フィルムの指の背部分０７」は「剥離紙の中央部分１２」と対応し、「フィルムの指の右側面〜腹部分０８」は「剥離紙の右側部分１３」と対応する。
【００２８】
第３の実施例によるネイルアート用保護テープの使い方を図６により説明する。図６は図４と異なり、剥離紙を除去していない場合の図である。最初にフィルム上の不要な部分（爪形状の穴及び０６の左右の部分）を除去する（図５のフィルム上のハーフカット０４、０５による）。次に、剥離紙の中央部分（１２）を除去し、爪形状の穴を爪に合わせて、フィルムを指の背部分に貼付する。このとき、爪の上の指先〜腹部分を指の腹側に折り返す様にして貼付する。さらに、剥離紙の左側部分（１１）及び右側部分（１３）を除去し、指の左右側面、指の腹部分にフィルムを貼付する。
【００２９】
図７に第４の実施例によるネイルアート用保護テープを示す。０１から０５、１１から１３は図５と同様である。１４は概略爪形状にハーフカットされている部分０４の上側の剥離紙部分の矩形状のフィルムの辺を含む概略長方形状であり、切り込み１７が入っている。さらに、１５、１６の切り込みにより、概略爪形状のハーフカット部分０４を真ん中に含むように剥離紙を概略３等分し、かつ該切り込みは前記長方形状の部分１４の下辺までである。
【００３０】
第４の実施例によるネイルアート用保護テープの使い方を図８により説明する。図８は図４と異なり、剥離紙を除去していない場合の図である。最初にフィルム上の不要な部分（爪形状の穴及び０６の左右の部分）を除去する（図７のフィルム上のハーフカット０４、０５による）。次に、剥離紙の中央部分１２を除去し、爪形状の穴を爪に合わせて、フィルムを指の背部分に貼付する。さらに、剥離紙の左側部分１１を除去し、指の左側面〜腹部分にフィルムの指の左側面〜腹部分０９を貼付し、剥離紙の右側部分１３を除去して指の右側〜腹部分にフィルムの指の右側〜腹部分０８を貼付する。最後に剥離紙の指先部分１４を除去し、爪の上の指先〜腹部分０６を指の腹側に折り返す様にして貼付する。
【符号の説明】
【００３１】
０１      皮膚保護用フィルム
０２      粘着層
０３      剥離紙
０４      フィルム０１上の爪形状のハーフカット
０５      フィルム右上端、左上端を除去するためのフィルム０１上のハーフカット部
０６      指先から指の腹にかけて貼り付く部分
０７      指の背部分（手の甲側）に貼り付く部分
０８      指の右側面〜指の腹部分に貼り付く部分
０９      指の左側面〜指の腹部分に貼り付く部分
１０      剥離紙の切り込み
１１      切り込みにより分割された剥離紙の左側部分
１２      切り込みにより分割された剥離紙の中央部分
１３      切り込みにより分割された剥離紙の右側部分
１４      切り込みにより分割された剥離紙の指先部分
１５      剥離紙の切り込み
１６      剥離紙の切り込み
１７      剥離紙の切り込み
【図１】
0003174907.tif 000003
【図２】
0003174907.tif 000004
【図３】
0003174907.tif 000005
【図４】
0003174907.tif 000006
【図５】
0003174907.tif 000007
【図６】
0003174907.tif 000008
【図７】
0003174907.tif 000009
【図８】
0003174907.tif 000010